Podtech/llm-jp-corpus-v4-ja_patent huggingface dataset:
(57)【要約】【課題】熟練した技能を要することなく、素人にも平滑かつ均一な塗り厚で塗り壁を施工することができる左官仕上げ用へらを提供する。【解決手段】材料の塗り厚を均一に揃えるために先端に一定間隔のくし目を設けたくし目へらと、材料を平滑に押さえるためのしなりを持たせた押さえへらを組み合わせていることを特徴とする左官仕上げ用へら。【選択図】図１
2012225141.tif 000002
【特許請求の範囲】
【請求項１】
先端に一定間隔のくし目を設けたくし目へらと、先端にしなりを持たせた押さえへらを組み合わせた左官仕上げ用へら。
【発明の詳細な説明】
【技術分野】
【０００１】  本発明は内装用仕上塗材、いわゆる塗り壁の仕上げ塗りに用いるへらに関するものである。
【背景技術】
【０００２】  建築物の内装仕上げ材は、コストが安いことや工期が短くて済むことから、いわゆる新建材が普及し、ビニルクロスや予め仕上げの施されたボードやパネルを現場で貼り付ける工法が主流となっている。【０００３】  しかし近年では、建材や家具の接着剤に含まれる揮発性有機化合物を原因とするシックハウス症候群の顕在化や、建築物の高気密化がもたらす室内空気環境の悪化に伴い、従来用いられてきた漆喰やプラスター、珪藻土といった湿式の塗り壁が見直され始めている。【０００４】  ところで、塗り壁を施工するには一般的に左官用の鏝を使用するが、鏝塗り作業は熟練した技能を要するものであり、素人が平滑且つ均一な塗り厚で施工するのは極めて困難な作業である。【０００５】  また、鏝塗りの技能を持った左官職人は高齢化が進み、減少の一途をたどっている。
【発明の概要】
【発明が解決しようとする課題】
【０００６】  熟練した技能を要することなく、素人にも平滑かつ均一な塗り厚で塗り壁を施工することができる左官仕上げ用器具を提供することである。
【課題を解決するための手段】
【０００７】  本発明者はこうした点に鑑み、素人にも平滑且つ均一な塗り厚で塗り壁を施工することができる左官仕上げ用器具を提供すべく鋭意研究の結果、遂に本発明を成したものである。【０００８】  本発明の左官仕上げ用へらは、材料の塗り厚を均一に揃えるために先端に一定間隔のくし目を設けたくし目へらと、材料を平滑に押さえるためのしなりを持たせた押さえへらを組み合わせていることを特徴とする。【０００９】  あらかじめ下地面に塗り壁材を粗く塗り付けた後、本発明の左官仕上げ用へらを用いて粗く塗った塗り壁材を均すと、くし目へらが余分な塗り壁材を削り取り、壁面に均一の量で塗り壁材が残る。【００１０】  更に均一に残った塗り壁材を押さえへらにて下地の方向に押さえつけながらなぞることで平滑な仕上げ面を作る。
【発明の効果】
【００１１】  本発明は、以上説明したような手段により、塗り壁材を一定の量に調整し、続いて均一な厚さに押さえつけることによって、平滑且つ均一な塗り厚の塗り壁を施工することが可能となる。
【図面の簡単な説明】
【００１２】
【図１】本発明の一実施の形態を示す左官仕上げ用へらの図面であり、（ａ）は全体を示す斜視図、（ｂ）は（ａ）に示すＩ−Ｉ断面図である。
【図２】本発明の左官仕上げ用へらを用い、塗り壁を仕上げる際の左官仕上げ用へらの塗り壁材に対する作用を図示した断面図である。
【発明を実施するための形態】
【００１３】  図示するように、左官仕上げ用へら１は、取っ手２の一方の面に先端にくし目の付いたくし目へら３、もう一方の面に押さえへら４を設けたものである。
【００１４】  くし目へら３は、アルミニウム、ステンレス等の金属あるいはアクリル樹脂等の合成樹脂で形成されている。なお、先端部分は壁の下地と接するため摩耗の少ない材質であることが好ましい。
【００１５】  押さえへら４は、先端の押さえ部５と支持部６が接合され一体となった押さえへら４となっている。押さえ部５は塗り壁を施工するために力を加えた際にしなり、力を抜いた際には元に戻る弾性を有する合成樹脂で形成されており、支持部６は押さえ部５に力を有効に伝達できるよう剛性を持たせた材質、例えばアルミニウム、ステンレス等の金属あるいはアクリル樹脂等の合成樹脂で形成されている。
【００１６】  以上のように構成された左官仕上げ用へら１による左官仕上げの工程は、図２に示すように、市販の左官用鏝等で予め壁下地７に粗く塗布した塗り壁材８に対し、左官仕上げ用へら１をくし目へら３が壁下地側になるように傾け、矢印Ａの方向へ押し付けながら矢印Ｂの方向へ進める。なお、左官用鏝で予め塗布する際は粗く塗れればよいので技能は要しない。
【００１７】  するとくし目へら３の先端に設けたくし目が、粗く塗布した塗り壁材７を一定の厚み、量に整える。更に押さえへら４にて、整えた塗壁材の表面を押さえ部５の持つしなりにより壁面へと押さえつけながら塗り壁材を平らに施工する。
【符号の説明】
【００１８】  １  左官仕上げ用へら
２  取っ手
３  溝付きへら
４  押さえへら
５  押さえ部
６  支持部
７  壁下地
８  塗り壁材
【図１】
2012225141.tif 000003
【図２】
2012225141.tif 000004
(57)【要約】      （修正有）【課題】便器内の臭いが外に漏れることがない防臭トイレを提供する。【解決手段】トイレ真水流す口の後ろに穴を設け、換気扇と管でつなぎ、換気扇を人体感知センサーで稼働させることにより脱臭する。【選択図】図１
2012225142.tif 000002
【特許請求の範囲】
【請求項１】
トイレの真水流す口の後ろに穴を設ける。
【請求項２】
換気扇が管を通して便座内のにおいが外に出す。
【請求項３】
人体感知センサースイッチの利用する。
【発明の詳細な説明】
【発明の概要】
我々が日常利用しているトイレは大便の臭いに悩まされることが多くある。本発明は大便の臭いが外に漏れることがない，トイレの防臭のものである。また、人体感知センサーで換気扇を回し電力削減と装置の劣化防止図る。
【技術背景】
従来、トイレの臭いを解決するには脱臭剤と換気扇など使われている。
【本発明が解決しようとする問題点】
【０００１】トイレの臭い除去する為には換気扇を長時間稼動させるあり、あるいは脱臭剤が置かなければなりません、経済的ではない。
【０００２】ひとつのトイレを多人数が連続利用する場合、二人目以降の人が臭気によって不快感を催すことがある。
本発明は以上の問題を解決する為になされたものである。
【問題を解決する為の手段】
【０００３】トイレの真水流す口の後方に穴を設け、換気扇と管で繋ぎ。
【０００４】換気扇の稼動は、人体感知センサーでコントローるする。
本発明は以上の構成よりなる防臭トイレである。
【発明の効果】
汚物のより近い位置で脱臭により、従来の方法と比べると瞬間に脱臭が可能になった。更に、便座外への汚臭の防止の効果もある。
【図面の簡単な説明】
【０００４】
【図１】本発明の斜視図  トイレの水流す口の後ろに穴を設けて、換気扇と管でつなぎ，人体感知センサースイッチが壁に固定する，赤いは換気扇とトイレをつなぎの管。
2012225142.tif 000003
【手続補正書】
【提出日】平成23年7月8日(2011.7.8)
【手続補正１】
【補正対象書類名】図面
【補正対象項目名】全図
【補正方法】変更
【補正の内容】
【図１】
2012225142.tif 000004
【手続補正２】
【補正対象書類名】明細書
【補正対象項目名】０００４
【補正方法】変更
【補正の内容】
【０００４】  「図１」  本発明の側面図
穴が水タンクから下に３センチに８センチの穴が設ける。斜めに２５度にする排気管と繋ぐ口を設ける、内径が排気管の内径と一致する．たての排気管が壁の中に設置する、外観がきれいに見えるから
人がトイレ室に入ると、センサーが反応し換気扇を回し、トイレ室の空気が便座に設けたの穴に通して外の出されます、同じく便のにおいも外の出されます漏れることなく。人がトイレ室に離れる、換気扇が止まり、節電になります
(57)【要約】【課題】土地の価格は道路面間口の幅に比して高価になる事から、間口の狭い敷地が多く存在する。その狭い間口の中に建物を建築する際、人が通るエントランスを設けると、残る間口で駐車場を作りたければ、無理をして平面縦列駐車とすることになる。【解決手段】駐車部分を駐車場の本体１として、地下に配置することにより、車路３の部分が常に通り抜け出来る車路とできる。ターンテーブル２により方向転換をすることで、常に前進で自走可能な駐車場とする事が出来る。【選択図】図１
2012225138.tif 000002
【特許請求の範囲】
【請求項１】
地下ピット格納式駐車場を縦列に配置することを特徴とする機械式駐車場。
【請求項２】
ターンテーブルを設けたことで、入庫も出庫も前進のみで可能な機械式駐車場。
【発明の詳細な説明】
【技術分野】
【０００１】  この発明は、建物地下に設ける機械式駐車場の形状に関する。
【背景技術】
【０００２】  従来の地下に設ける駐車場の形状は、図３に示すように、道路や車路に面して直接入出庫する様に作られたものである。
【先行技術文献】
【非特許文献】
【０００３】
【非特許文献１】株式会社扶桑エンジニアリング「レクセルピット３Ｄ」カタログ
【発明の概要】
【発明が解決しようとする課題】
【０００４】  しかしながら、以上の技術によれば、道路もしくは車路に対し、全ての車庫入口が面している必要があった。その為、狭小間口の敷地においては従来の機械式駐車場を用いて駐車台数を増やす事は出来ない。無理にわずかな台数を駐車するとしても縦列駐車となり、前に他の駐車車両があれば自動車を出庫出来ない。また、後進しての入出庫となり駐車時の危険が増す。
そこで、この発明は、狭小間口しか取れない敷地であっても、多数の自動車を安全に駐車可能とする機械式駐車場を提供することを課題とする。
【課題を解決するための手段】
【０００５】  以上の課題を解決するために、第一発明は、地下ピット格納式駐車場を縦列に配置することを特徴とする機械式駐車場である。
また、第二発明は、縦列に並べた駐車場の先にターンテーブルを配置することを特徴とする機械式駐車場である。
【発明の効果】
【０００６】  第一発明によれば、駐車している自動車は全て地下に格納されており、地上部は車路とするため、他の車が止まっていても出入りが可能である。第二発明によれば、ターンテーブルを設けたことで、入庫も出庫も前進動作とできる為、安全である。
【図面の簡単な説明】
【０００７】
【図１】この発明の一実施形態を示す平面図である。
【図２】この発明の一実施形態を示す断面図である。
【図３】従来技術を示す立面図である。
【発明を実施するための形態】
【０００８】  この発明の一実施形態を、図１に示す。
駐車場の本体１は地下ピット式であり、この本体１が縦列に複数基、設けられている。駐車場本体の先にはターンテーブル２があり、入庫、格納、出庫の全ての段階において前進のみで利用出来る。
駐車場の本体１の最上段は常に、空けてあり、そこには駐車せず、車路として使用する。自動車の入庫、出庫の際にのみ、上昇し、自動車の収容、取り出しを行う。
【０００９】「実施形態の効果」
この実施形態によれば、駐車場の本体１を地下に格納するので、車路３は常に通行可能な車路となる。したがって、複数の自動車の入出庫が可能となる。ターンテーブル２も設置されることにより、安全に、かつ、ほぼ駐車場１台分の間口で複数台の駐車ができる。
「他の実施形態」
図１の実施形態では、駐車場の本体１の３基を縦列に設置していたが、他の実施形態では、２基、４基以上など、建物奥行の長さに応じた基数を設けたものでも良い。
【符号の説明】
【００１０】１  駐車場の本体
２  ターンテーブル
３  車路
【図１】
2012225138.tif 000003
【図２】
2012225138.tif 000004
【図３】
2012225138.tif 000005
(57)【要約】【課題】プラスターボードなどのジョイント部にパテ付けをする際、ジョイント部の中央部分を中高く付けられるヘラを提供する。【解決手段】ヘラの刃の中央部分３を湾曲させる事によって、パテを中高く付ける事ができ、また、刃の平面４で余分なパテをしごき取る事が出来る。【選択図】図１
2012225137.tif 000002
【特許請求の範囲】
【請求項１】
パテ付け用ヘラの刃の中央部分を湾曲させた刃を特徴とするパテ付けヘラ。
【発明の詳細な説明】
【技術の分野】
【０００１】本発明は、塗装工事やクロス工事で下地処理の際、プラスターボードなどのジョイント部にパテを付けた時にひび割れがいかないようにパテ付けの前にジョイントテープを貼り、その上からパテを付けますが、そのパテ付けは中央部を１〜２ｍｍ盛上げ、その両サイドを段差が出来ない様にしないと仕上がりがよくなく、それを解決する為にヘラの刃の中央部に湾曲部を作り１回のパテ付けでジョイント部が中高く付けられる様にし、両サイドに段差が出来なくした物である。
【背景技術】
【０００２】従来、ジョイント部にジョイントテープを貼り、ヘラの刃先が平らな物でパテ付けをしていたが刃先の平らなヘラでは、ジョイントテープの上に１〜２ｍｍ中高くパテを付けるのは熟練者でも難しく何度もパテを付け直していた、またパテを中高く付けないと仕上がりがよくない為、ペーパーなどで余分なパテをすり落とし仕上げていた。
【発明が解決しようとする課題】
【０００３】塗装工事やクロス工事の下地処理の際にプラスターボードのジョイント部にジョイントテープを貼り、その上にパテを中高く付ける必要があった。本発明は、この課題を解決する為になされたものである。
【課題で解決するための手段】
【０００４】本発明は、ヘラ刃先の中央部分を湾曲させ、ジョイントテープの上にパテを中高く付けられるようにした。
【発明の効果】
【０００５】ジョイント部にパテを付ける際、ヘラ３の部分が湾曲している事で、パテを中高くに付けやすい。
以下、本発明の実施の形態について説明する。
（イ）ヘラ３の部分を湾曲させパテが中高くなるようにした。
（ロ）ヘラ４の部分は平で余分なパテをしごき取る部分である。
（ハ）ヘラ３の部分を湾曲させる事でヘラ本体の角度を変えてパテを付ける事で湾曲部分のパテの厚みを変える事が出来た。
【図面の簡単な説明】
【０００６】
【図１】ジョイント用ヘラの平面図
【図２】ジョイント用ヘラのパテ付け使用状況図
【符号の説明】
【０００７】１      ヘラ本体
２      刃
３      刃、湾曲部分
４      刃、平部分
５      プラスターボード
６      ジョイント部分
７      ジョイントテープ
８      パテ凸部分
９      パテ平部分
１０    パテ付け巾を示す印
１１    パテ付け時のセンター印
【図１】
2012225137.tif 000003
【図２】
2012225137.tif 000004
(57)【要約】      （修正有）【課題】瓦職人でなくても、安価に、簡単に、短時間で棟の補修が可能となる補修方法を提供する。【解決手段】棟が再現できないまでに破損した場合は、まず棟破損部分を除去し、木角材を板に木ネジで固定し、木角材の上にアルミ薄板製の棟交換パーツ下部を載せ、木ネジで固定。棟交換パーツ下部の上にアルミ薄板製の棟交換上部パーツをセットし、棟交換下部パーツの固定金具爪を折り返すことによりに棟交換上部パーツと固定する。【選択図】図６
2012225132.tif 000002
【特許請求の範囲】
【請求項１】
地震等にて屋根の棟が一部破損した場合は、半円筒型形状のアルミ薄板パーツ（両サイドには半円型の凸形状の溝を有する）の下部の両端が内側に約９０°に折り曲げられたパーツを、棟の外側より上部から包みこむように覆い、折り曲げられた部分を棟ののし瓦の最下部隙間に差し込み固定。上部両サイドの凸形状の溝を上下に重ね合わせ連結し、棟を補修する方法。
【請求項２】
屋根の棟が再現できないほどに破損した場合は、棟ののし瓦と冠瓦を取り除き、棟の基礎部分として角材を設置し、両サイド２辺が屋根傾斜角度に折り曲げられたアルミパーツを角材の上に連結して固定。その上に半円筒型形状のアルミ薄板パーツ（両サイドには半円型の凸形状の溝を有する）下部の両端（外側を屋根角度に折り曲げたパーツ）を上部から重ね合わせ、下部と固定。同様に上部両サイドの凸形状の溝を上下に重ね合わせ連結しで連結し、棟を補修する方法。
【発明の詳細な説明】
【技術分野】
【０００１】本発明は、屋根の棟が破損、倒壊した場合の補修に関するものである。
【背景技術】
【０００２】従来の棟の瓦の固定方法は、図１１に示すようにのし瓦や冠瓦を粘土や漆喰を用い固定し、針金で留めている状況である。地震等で破損した場合は瓦職人が同資材、方法を用い修理しているのが現状。
【発明の概要】
【発明が解決しようとする課題】
【０００３】従来の方法は、図１１に示すように粘土や漆喰で固定しているため、耐震性に弱点がある。東北関東大震災でも屋根の破損の多くが棟の部分であり震度５程度の地震で破損するケースが散見される。今回提供する方法（図６、１１）は、耐震性にすぐれる構造となる。【０００４】災害時は瓦資材が不足し、補修には瓦職人でないと作業できないため、補修を受けるのに長い期間待たされた。今回提供する方法（図６、１１）は汎用性が高く高強度で軽いアルミ薄板パーツを用い、瓦職人でなくても取り付けられるよう設計している。
【課題を解決するための手段】
【０００５】  棟が再現できないまでに破損した場合は、図６、７に示すように補修する。手順として▲１▼むね破損部分を除去し、木角材を板に木ネジで固定する。▲２▼木角材の上に棟交換パーツ下部（図１、２）を載せ、木ネジで固定する。▲３▼補修する棟の長さに応じて棟交換パーツ下部（図１、２）を同様に一部が重なるよう（１ｃｍ程度）連結してとりつける▲４▼棟交換パーツ下部（図１、２）の上に棟交換上部アルミパーツ（図３、４）をセットし、棟交換下部アルミパーツ（図２６、７）の固定金具爪を折り返すことによりに棟交換上部アルミパーツ（図３４）と固定する。▲５▼▲３▼で製作した長さの分だけ棟交換上部アルミパーツ（図３４）をセットし、連結する。（図７）▲６▼棟の両端に棟交換パーツ端部を図７のように取り付ける。【０００６】棟が一部破損した場合は、図１１、１２に示すように補修する。手順として▲７▼棟補強パーツ（図８、９）を棟の上部より包み込むように載せ、最下部ののし瓦と桟瓦の隙間に棟補強パーツ（図８、９）の約９０°に折り曲げられた両下端部を差し込む（図１１）▲８▼同様に図１２のように連結し、破損部分の長さに応じ補強する。▲９▼さらに固定力を上げるため、棟補強パーツ用留め金具（図１０）を棟に横穴をあけ挿入し、先端（真直ぐな方）を最後まで挿入し、先端を曲げることで棟と固定する。（図１１、１２）
【発明の効果】
【０００７】棟の破損状況に応じての対応が可能で、瓦職人でなくても、安価に、簡単に、短時間で棟の補修が可能となる。
【図面の簡単な説明】
【図１】棟交換パーツ下部の断面図
【図２】棟交換パーツ下部の全体図
【図３】棟交換パーツ上部の断面図
【図４】棟交換パーツ上部の全体図
【図５】棟交換パーツ端部の全体図
【図６】棟交換パーツ上部と下部を棟に取り付けた際の断面図
【図７】棟交換パーツ上部と下部を棟に取り付けた際の全体図
【図８】棟補強パーツの断面図
【図９】棟補強パーツの全体図
【図１０】棟補強パーツ用留め金具の側面図
【図１１】棟補強パーツ用と留め金具を棟に取り付けた断面図
【図１２】棟補強パーツ用と留め金具を棟に取り付けた断面図
【図１】
2012225132.tif 000003
【図２】
2012225132.tif 000004
【図３】
2012225132.tif 000005
【図４】
2012225132.tif 000006
【図５】
2012225132.tif 000007
【図６】
2012225132.tif 000008
【図７】
2012225132.tif 000009
【図８】
2012225132.tif 000010
【図９】
2012225132.tif 000011
【図１０】
2012225132.tif 000012
【図１１】
2012225132.tif 000013
【図１２】
2012225132.tif 000014
(57)【要約】【課題】従来、カメラの撮影方向を微調整するための構造は、複雑になり、カメラ自体を小型化にするのが困難であった。  本発明は、カメラの撮影方向調整を容易にし、かつ微調整が可能な構造を実現することを目的とする。【解決手段】本発明のカメラの撮影方向調整構造は、カメラ部と、半球状部材と、筐体とを有し、半球状部材の平面部にカメラ部を取付け、筐体に開けた円形穴にカメラ部を取付けた半球状部材の球状部を押し付けて回転させることにより、カメラ部の撮影方向が調整できることを特徴とする。【選択図】  図１
2012225991.tif 000002
【特許請求の範囲】
【請求項１】
カメラ部と、半球状部材と、筐体とを有し、
前記半球状部材の平面部に前記カメラ部を取付け、
前記筐体に開けた円形穴にカメラ部を取付けた前記半球状部材の球状部を押し付けて回転させることにより、前記カメラ部の撮影方向が調整できることを特徴とするカメラの撮影方向調整構造。
【発明の詳細な説明】
【技術分野】
【０００１】
本発明は、カメラの構造に関し、特に撮影方向の調整構造に関するものである。
【背景技術】
【０００２】
従来、カメラの角度調整は、水平、垂直、回転方向の３軸を一つの機構とし、これらの調整が一つの動作で行えるようにしていた。（例えば、特許文献１参照。）。
【先行技術文献】
【特許文献】
【０００３】
【特許文献１】特開２０００−１８４２３８号公報
【発明の概要】
【発明が解決しようとする課題】
【０００４】
従来、カメラの撮影方向を微調整するための構造は、複雑になり、カメラ自体を小型化にするのが困難であった。
本発明は、カメラの撮影方向調整を容易にし、かつ微調整が可能な構造を実現することを目的とする。
【課題を解決するための手段】
【０００５】
本発明のカメラの撮影方向調整構造は、カメラ部と、半球状部材と、筐体とを有し、半球状部材の平面部にカメラ部を取付け、筐体に開けた円形穴にカメラ部を取付けた半球状部材の球状部を押し付けて回転させることにより、カメラ部の撮影方向が調整できることを特徴とする。
【発明の効果】
【０００６】
本発明によれば、少なくともカメラ部と、半球状部材と、筐体で構成しているカメラの撮影方向調整構造は、カメラの撮影方向調整を容易にし、小型でかつ微調整が可能な構造を実現することができる。
【図面の簡単な説明】
【０００７】
【図１】本発明の一実施例であるカメラ部１の撮影方向の調整構造を説明するための図である。
【図２】本発明の一実施例であるカメラ部１の撮影方向を下方向に向けた場合の側面の断面図である。
【図３】本発明の一実施例であるカメラ部１の撮影方向を上方向に向けた場合の側面の断面図である。
【発明を実施するための最良の形態】
【０００８】
本発明の一実施例であるカメラの撮影方向の調整構造について、図１を用いて説明する。図１は、本発明の一実施例であるカメラの撮影方向の調整構造を説明するための図である。
図１において、（Ａ）は正面図であり、（Ｂ）は側面の断面図であり、（Ｃ）は背面図である。
【０００９】
図１（Ｂ）において、カメラ部１は、カメラ固定板２に取り付け、撮像面側に透明の半球状部材８を取り付けている。これを一つのモジュール１０としている。
【００１０】
図１（Ａ）において、筐体３は、半球状部材８の直径より小さい穴を開けてあり、この穴に半球状部材８を押しつける。筐体３には、ネジ６ａ〜６ｄを取付けるための穴が４個開いている。
また、カメラ固定板２はネジ６ａ〜６ｄを通す穴が４個開いている。
【００１１】
図１（Ｂ）および図１（Ｃ）において、モジュール１０は、筐体３に取付けたネジ６ａ〜６ｄをカメラ固定板２の４個の穴に通し、ナット７ａ〜７ｄを締めることにより筐体３に固定することができる。
【００１２】
図１（Ａ）において、筐体３は、半球状部材８の直径より小さい穴にテーパを付けることにより、モジュール１０との密着性を向上させることができる。
【００１３】
次に、図２および図３を用いてカメラ部１の撮影方向の調整について説明する。
図２はカメラ部１の撮影方向を下方向に向けた場合の側面の断面図である。
図３はカメラ部１の撮影方向を上方向に向けた場合の側面の断面図である。
【００１４】
図２および図３において、カメラ部１の撮影方向の調整は、まず、ナット７ａ〜７ｄを緩め、次に半球状部材８を回転させることにより、カメラ部１の撮影方向を所望の方向へ向け、そして、ナット７ａ〜７ｄを締めることによりモジュール１０を固定する。
【００１５】
本発明によれば、少なくともカメラ部１と、半球状部材８と、筐体３で構成しているカメラの撮影方向調整構造は、カメラ部１の撮影方向調整を容易にし、小型でかつ微調整が可能な構造を実現することができる。
【００１６】
以上本発明について詳細に説明したが、本発明は、ここに記載されたカメラの撮影方向調整構造に限定されるものではなく、上記以外のカメラの撮影方向調整構造にも広く適用することができることは云うまでもない。
【符号の説明】
【００１７】
１：カメラ部、２：カメラ固定板、３：筐体、６，６ａ〜６ｄ：ネジ、７，７ａ〜７ｄ：ナット、８：半球状部材、９：取付穴。
【図１】
2012225991.tif 000003
【図２】
2012225991.tif 000004
【図３】
2012225991.tif 000005
(57)【要約】      （修正有）【課題】鍵盤ハーモニカ本体に、鍵盤ハーモニカ回転機能付き取っ手を取り付け、鍵盤ハーモニカの演奏時に視覚的表現のパフォーマンスが発揮できるような取っ手を提供する。【解決手段】鍵盤ハーモニカの握りバンドの取り付け部に挿入するための支持部２と、片手を挿入するための取っ手３と、取っ手３と支持部２が回転できるように取り付けた軸４とからなっていて、この鍵盤ハーモニカの回転機能付き取っ手３の支持部２を、鍵盤ハーモニカ本体の握りバンドの取り付け部に挿入し固定することにより、演奏の合間に鍵盤ハーモニカを回転させるパフォーマンスができ、視覚的表現を行なえる。【選択図】図１
2012225976.tif 000002
【特許請求の範囲】
【請求項１】
鍵盤ハーモニカの握りバンドの取り付け部に挿入するための支持部と、片手を挿入するための取っ手部と、取っ手部と支持部が回転できるように取り付けた軸部と、から構成されていることを特徴とする鍵盤ハーモニカの回転機能付き取っ手。
【発明の詳細な説明】
【技術分野】
【０００１】
本発明は、鍵盤ハーモニカに関する。        
【背景技術】
【０００２】
従来の鍵盤ハーモニカは、例えば実公昭 ３８−１４６２２号公報に記載されていて、図５を用いて説明すると、端部に吹き口６を設け、鍵盤部表面には演奏するための鍵盤部８を設け、鍵盤部裏面には片手を挿入するための握りバンド７が取り付け部７Ａ，７Ｂに取り付けられている。このような鍵盤ハーモニカで演奏する時は、片手を鍵盤ハーモニカの握りバンド７に挿入し、もう片手で鍵盤８を弾き演奏をする。
【特許文献１】実公昭３８−１４６２２号公報
【発明の概要】
【発明が解決しようとする課題】
【０００３】
しかし、このような鍵盤ハーモニカでは、音楽隊のようなパフォーマンスを必要とする時、単に弾くだけの動作となり、パフォーマンスが全く発揮できない。
【課題を解決するための手段】
【０００４】
そこで、このような課題を改善するために、本出願人は、鍵盤ハーモニカの握りバンドの取り付け部に挿入するための支持部と、片手を挿入するための取っ手部と、取っ手部と支持部が回転できるように取り付けた軸部と、から構成されていることを特徴とする鍵盤ハーモニカの回転機能付き取っ手を考えた。
【発明の効果】
【０００５】
本発明は、片手を挿入するための取っ手部が、鍵盤ハーモニカの握りバンドの取り付け部に挿入する支持部に対して回転できるように構成されているので、本発明の鍵盤ハーモニカの回転機能付き取っ手の支持部を、鍵盤ハーモニカ本体の握りバンドの取り付け部に挿入して固定すれば、演奏の合間に鍵盤ハーモニカを回転させるというパフォーマンスを発揮できるようになる。
【図面の簡単な説明】
【０００６】
【図１】本発明の鍵盤ハーモニカの回転機能付き取っ手を表した図
【図２】鍵盤ハーモニカ本体に取り付けた図
【図３】本発明の取り付け部の概略断面図
【図４】パフォーマンスを表した図
【図５】従来の鍵盤ハーモニカの構成を表した図
【発明を実施するための形態】
【０００７】
以下、本発明の実施の形態を図１〜図５に基づいて説明する。
【０００８】
図１には、本発明の鍵盤ハーモニカの回転機能付き取っ手が図示されている。           本発明の鍵盤ハーモニカの回転機能付き取っ手は、支持部２と取っ手部３と軸部４からなっている。
【０００９】
支持部２は金属製の板からなっていて、その両端部２Ａ、２Ｂは、図３に図示しているように鍵盤ハーモニカ本体の握りバンド７の取り付け部７Ａ，７Ｂに挿入することができるように構成されている。両端部２Ａ，２Ｂの先端は、図１に図示されているように、取り付け部７Ａ，７Ｂのピンに巌合できる切欠き部が形成されている。
【００１０】
取っ手３は、支持部である金属製の板に支持部に対して回転できるように軸４を介して固定されている。取っ手３はその端部に面ファスナーを設けて、様々な手のサイズに合わせられるようになっている。
【００１１】
図２には、本発明の鍵盤ハーモニカ回転機能付き取っ手を鍵盤ハーモニカに取り付けた図を記載している。
【００１２】
図４は、実際に鍵盤ハーモニカ回転機能付き取っ手を取り付けて、演奏している図である。
【符号の説明】
【００１３】
１鍵盤ハーモニカ回転機能付き取っ手
２支持部
３取っ手
４軸
５鍵盤ハーモニカ裏部
６吹き口
７鍵盤ハーモニカ握りバンド
８鍵盤
【図１】
2012225976.tif 000003
【図２】
2012225976.tif 000004
【図３】
2012225976.tif 000005
【図４】
2012225976.tif 000006
【図５】
2012225976.tif 000007
(57)【要約】      （修正有）【課題】免震装置は地震の水平方向の揺れに効果を発揮し、装置構成が単純であるので、作動の信頼性が高く、しかも低コストで製作できる。【解決手段】免震装置は、平面鋼板４と、その平面状に自転可能な状態で置かれる主たる鋼球と、その主たる鋼球を同一平面状でそれぞれ一定の位置関係に保持し、かつ、全ての鋼球を自転可能な状態で保持する位置保持用リテーナ２に保持された鋼球群が、主たる鋼球の上部に自転可能な状態で覆いかぶさることで構成される。【選択図】図１
2012225502.tif 000002
【特許請求の範囲】
平面鋼板と、その平面鋼板上に自転可能な状態で置かれる主たる鋼球と、その主たる鋼球を同一平面上でそれぞれ一定の位置関係に保持し、かつ、全ての鋼球を自転可能な状態で保持する位置保持用リテーナに保持された鋼球群が、主たる鋼球の上部に自転可能な状態で覆いかぶさることで構成される免震装置。
【発明の詳細な説明】
【発明の詳細な説明】
【技術分野】大地震時の強い地震動から構造物を保護するために、地盤と構造物の間に、各種の免震装置（各種の積層ゴム、すべり支承、転がり支承等）を配置して地盤の振動が直接伝達されないようにした免震構造物が実用化されている。本発明は、これらの免震装置の中で、最も低い水平抵抗力を提供できると考えられている転がり免震装置に関するものである。
【背景技術】免震構造は、大地震時の強い地震動に対して構造物の揺れそのものを低減できるので、建物の構造骨組みの耐震安全性が高まるだけでなく、内部の家具や設備備品など収容物の転倒や落下・衝突の危険性が下がり、建物全体の耐震安全性を飛躍的に高めることができる。従来の耐震構造に較べて優れた耐震安全性能を有する免震建物を実現可能としたものは、免震装置の出現であり、これまでに以下のような免震装置が実用化されている。即ち、アイソレータ機能とダンパー機能の両者を有する免震システムとしては、（１）天然ゴム系積層ゴム＋別置きダンパ、（２）高減衰積層ゴム、（３）鉛プラグ入り積層ゴムが我が国で採用されている３大システムと言われるものであり、この他に近年ＰＴＦＥ（テフロン）材とステンレス板の組み合わせによる（４）すべり支承系の免震装置も徐々に採用されるようになっている。
更に近年になって、免震構造物の免震性能を改善・向上させる方法として、特許第２６０３４２６号などによる転がり支承と積層ゴム支承等を併用する免震構造物も実現されるようになってきている。但し、転がり支承の採用は極く最近取り組まれるようになったばかりで、住宅等の軽量構造物を対象とした試行が行われている段階であり、重量構造物を支持する本格的な転がり免震支承の実現方法は確立されていないのが実状である。
【発明が解決しようとする課題】
これまでに実用化されている転がり免震装置としては、図１に示すような比較的大径の鋼球を１個だけ用いる装置（装置Ａと呼ぶ）や図２に示す多数の小径鋼球をそれを内蔵する箱形保持器内を循環運動させて直線軌道（レール）上を走行する直動システム（装置Ｂと呼ぶ）を直角２方向に組み合わせて使用する方法などがある。装置Ａと装置Ｂは、どちらも多数の小径鋼球を循環運動が可能な状態で内蔵する箱型保持器が必要であり、それによって免震装置が高価なものとなってしまう。本発明は、この転がり支承を、低コストで提供できる極めて優れた免震装置として実現する方法を目標課題とするものである。
【課題を解決するための手段】
本発明の免震装置は、主たる鋼球１、この鋼球の直径をａとすると、小径鋼球群によって構成される円の直径がａより小さいｂである位置保持用リテーナ２、そして、そのリテーナーを保持し主たる鋼球１がリテーナー２を介して回転可能な状態で覆いかぶさる上部部材３、基礎構造材５の上に敷設された鋼板４から構成されている。設置時などに不用意に主たる鋼球１が落下することを防ぐために、鋼板４の四辺には淵が付いている。
なお、主たる鋼球１は覆いかぶさる上部部材３と回転可能な状態を維持するため、半球状の隙間３２が存在する。主たる鋼球１に覆いかぶさる上部部材３は建物の基礎に結合される。すなわち、本発明の免震装置は建物の基礎と基礎構造材の間に設置されるものである。
図２を用いて、本発明の免震の動作について説明する。地震が発生し地面が横揺れし、図２（ａ）に示される矢印６の方向（右から左）に建物の基礎５が移動したとき基礎５に固定された鋼板４との摩擦により、主たる鋼球１は矢印６‘のように反時計回りに回転力が発生する。このとき、上部部材３は、位置保持用リテーナ２を構成する小径鋼球群によって摩擦が低減されるため主たる鋼球１にひきずられることなく移動することはない。逆に、図２（ｂ）に示すように、構成される矢印７の方向（左から右）に建物の基礎５が移動したとき基礎５に固定された鋼板４との摩擦により、主たる鋼球１は矢印７‘のように時計回りに回転力が発生する。このとき、上部部材３は、位置保持用リテーナ２を構成する小径鋼球群によって摩擦が低減されるため主たる鋼球１にひきずられることなく移動することはない。こうして、地震による横揺れで地面が水平方向に揺れても建物が揺れることはない。
リテーナー２は、図３に示される上部部材３の端部に設けられた位置保持用リテーナー固定用凹部３１に嵌めこまれ、主たる鋼球１と回転可能な状態で結合する。
図４に鋼板４と建物の基礎材５の結合方法の一例について示す。結合方法としては、固定用ボルト・ナット９１〜９４によるのが、強度、工法、費用の面から最適と考えられる。
【発明の効果】
上述のとおり、本発明の免震装置は地震の水平方向の揺れに効果を発揮する。
しかも、装置構成が単純明快であるので、作動の信頼性が高く、しかも低コストで製作できる。
【図面の簡単な説明】
【図１】本発明の免新装置の基本構成図
【図２】本発明の免震動作の説明図  （ａ）は地震の揺れが右から左の場合、（ｂ）は地震の揺れが左から右の場合である。
【図３】本発明免震装置の基本構成要素を表す図である。
【図４】鋼板４と建物の基礎５の固定方法の一例である。
【符号の説明】１：主たる鋼球    ２：位置保持用リテーナ    ２０：小径鋼球    ３：上部部材
３１：位置保持用リテーナー固定用凹部    ３２：主たる鋼球と上部部材との隙間
４：鋼板    ５：建物の基礎材    ６：揺れの方向    ６’：鋼球の転がる方向
７：揺れの方向    ７’：鋼球の転がる方向    ８：建物の基礎
９１〜９４：固定用ボルト・ナット
【図１】
2012225502.tif 000003
【図２】
2012225502.tif 000004
【図３】
2012225502.tif 000005
【図４】
2012225502.tif 000006
(57)【要約】【課題】従来、帽子によって装着するタイプの扇風機は、帽子であるが故に蒸れたり、髪形の意匠を損なう事があった。【解決手段】そこで冷却ファンの装着に帽子ではなく、ネックバンドで装着する事で頭が蒸れる事なく、髪形の意匠を損なわないようにした扇風機によって、この問題を解決した。【選択図】図１
2012225334.tif 000002
【特許請求の範囲】
【請求項１】
ネックバンドで冷却ファンを装着し、首やうなじに風を当てて冷却する事を特徴とする扇風機
【請求項２】
前記のネックバンドで装着した扇風機は、電源を本体から分離し、本体と電源が電源ケーブルで接続されており、電源をスイッチなどでコントロールすることでファンの冷風を制御できる事を特徴とする請求項１の扇風機
【発明の詳細な説明】
【技術分野】
【０００１】この発明は、扇風機を頭部に装着する方式に関するもの
【背景技術】
【０００２】従来、冷却ファンを帽子などで頭部に装着し、首やうなじに風を当てて、冷却する方式（特開２００７−１６３７６号）があった。
【先行技術文献】
【特許文献】
【０００３】
【特許文献１】特開２００７−１６３７６号広報
【発明の概要】
【発明が解決しようとしている課題】
【０００４】しかしながら、帽子だと頭が蒸れる上に、ヘアスタイルという頭部の意匠を損なってしまう。本発明は、帽子のように蒸れず、頭部の意匠を損なわないで首やうなじを冷却ファンで冷やす機能を提供することを課題とする。
【課題を解決する為の手段】
【０００６】以上の問題点を解決する為に、帽子ではなく、ネックバンドで首に冷却ファンを装着し、首やうなじに風を当てて冷却する扇風機である。
【発明の効果】
【０００７】本発明は、冷却ファンの固定にネックバンドを使う事で、帽子のように蒸れず、頭部の意匠を損なわないで、冷却ファンを図２のように首に装着し、首やうなじに風をあてて冷やす事で快適に暑さをしのぐ効果がある。この効果は特に見た目を重視する女性には重要な要素である。
【図面の簡単な説明】
【図１】この発明の実施形態を示す斜視図である。
【図２】この発明機器の頭部への装着図である。
【発明を実施する為の形態】
【０００９】この発明の実施形態を図１に示す。ネックバンドの首のうなじにあたる部分に冷却ファンがあり、そのファンの電源ケーブルが電池ボックスにつながり、その電池ボックスに電源スイッチがあり、ファンの電源を制御できるようになっている。電池ボックスが分離しているのは、重たい電池をネックバンドにのせると耳が痛くなるので分離し、その分離した電池ボックスに電源スイッチがある事でリモコンとして手元で手軽に動作制御が出来るようになっている。
【００１０】「実施形態の効果」
電池ボックスの電源スイッチをオンにすると、電源ケーブルをつたって電気が流れファンが回る。そうする事で首やうなじに風が当たって冷却されると、血液が冷えて体全体が冷却され、涼しくなる。帽子ではなく、ネックバンドによって頭も蒸れず、頭部の意匠も損なわずに涼しいというのが本発明の実施形態の効果
【符号の説明】
【００１１】１．ネックバンド  ２．冷却ファン  ３．電源ケーブル  ４．電源スイッチ
５．電池ボックス  ６．電池
【図１】
2012225334.tif 000003
【図２】
2012225334.tif 000004
(57)【要約】【課題】香りつきの涼風を送る扇風機を提供する【解決手段】水又は芳香剤入り水入れタンクの水をマイクロファイバーなど吸水性の良い布に穴を開けて湿らせることにより気化熱を利用して涼風を送る涼風扇風機。【選択図】図１
2012225335.tif 000002
【特許請求の範囲】
【請求項１】
扇風機の上部に水タンクをつけて。吹き出し口のカバーにマイクロファイバーなど吸水性の良い布に穴を開け水で湿らせて気化熱で気温を下げて涼しい空気と芳香を送る涼風扇風機
【発明の詳細な説明】
【技術分野】
【０００１】本発明は、扇風機にマイクロファイバーなど吸水性のある布に通風のため布に穴をあけ給水タンクから水や芳香剤の水を浸透させて涼風を送る涼風扇風機に関するものである。
【背景技術】
【０００２】従来、扇風機は部屋の空気を送るだけのものであった気化熱を利用しての涼風や香りの付いた涼風は送れなかった
【発明の開示】
【発明が解決しようとする課題】
【０００３】従来扇風機は涼風や香りの付いた涼風を送ることが出来なかった以上の問題を  解決しようとするものである。
【課題を解決するための手段】
【０００４】扇風機にマイクロファイバーなど吸水性のある布に通風のため布に穴をあけ水の蒸発で起こる気化熱で涼風を送る涼風扇風機である
【発明の効果】
【０００５】本発明は扇風機を簡単に涼風扇風機に変えるものである
【発明を実施するための最良の形態】
【０００６】以下、本発明の実施の形態を説明する。
（イ）  水又は芳香剤水入れタンク（１）に水を入れ送水布（３）で穴あき布（４）を湿らせて。扇風機で風を送る
本発明は，以上の構成よりなっている。
【図面の簡単な説明】
【０００７】
【図１】本発明の斜視図
【符号の説明】
【０００８】１  水タンク
２  水タンク台
３  送水布
４  穴あき布
５  布止めゴム
６  扇風機
【図１】
2012225335.tif 000003
(57)【要約】【課題】  本発明は自動車駐車装置でありながら掘付・撤去・運搬ができ、さらにそのままの形で再使用もできることを課題とする。【解決手段】  自動車駐車スペース部と料金精算部を一体化し一つの装置とする。【選択図】図１
2012132290.tif 000002
【特許請求の範囲】
【請求項１】
自動車車両駐車スペース部分と料金精算機部分が一体と成った自動車駐車装置
【請求項２】
掘付・撤去・運搬が可能な請求項１に記載の自動車駐車装置
【発明の詳細な説明】
【技術分野】
【０００１】  無人の料金精算部を備え付け、かつ自動車駐車のスペースを有する一体化した、装置に関する。
【背景技術】
【０００２】  従来の平地に施工される自動車駐車装置は主に埋設式である。施工には工事費用と掘付時間を必要とし、廃業時には取壊し、解体と成る。
【発明の開示】
【発明が解決しようとする課題】
【０００３】  自動車駐車場の設営が容易であり、また撤去・運搬が可能でありさらにそのままの形で再使用もできる駐車装置を課題とする。
【課題を解決するための手段】
【０００４】  自動車駐車スペース部と料金精算機部を一体化し一つの装置とした。
【発明の効果】
【０００５】  仮設用などに短い期間で自動車駐車場の営業ができる。
装置の寿命まで、場所を変え再使用ができる。
【発明を実施するための最良の形態】
【０００６】  本発明の実施形態について、図面を用いて説明する。
図１に斜視図を示す。３の駐車スペース部分にＸの方向に前進または後退にて自動車を進入させ、駐車する。６の二点鎖線で表現する状態に自動車を留める。そして、従来の駐車施設にもある様な、２の車止めが上がり、駐車開始となる。車止めは必ずしもこの形に限らない。その後、１の精算部にて料金を精算すると、２の車止めが下がり自動車は退出可能と成る。
本発明の自動車駐車装置も従来の機能を有するものとする。【０００７】  さらに、一体にした形態であるがゆえに、４の吊り部や５のフォークリフト爪差込み部を利用し撤去・運搬も可能となる。かつ１の部分をＹ方向に収納するなどの方法をとれば、平たくなり、大量の装置の運搬も可能と成る。
【図面の簡単な説明】
【０００８】
【図１】本装置例の斜視図
【符号の説明】
【０００９】１  料金精算部
２  ハネあがり式車止め
３  駐車スペース部及びフレーム
４  吊り部
５  フォークリフト等差込み部
６  駐車した車両を想像した輪郭
Ｘ  自動車の進入・退出方向
Ｙ  精算部収納方向
【図１】
2012132290.tif 000003
(57)【要約】【課題】  田畑に設置の箱型コンクリート排水工の溝に複数枚の板を差し込み、積み上げた板の高さまでが田畑水位であり、それを越える水は排水される。適切な田畑水位になるように高さの異なる板の組み合わせをしているが、組み合わせ高さにも限度があり妥協した田畑水位にしている。これを解決すること。【解決手段】  ２枚の板の間にＴ型アングルを板の両端にはさんで板を重ね合わせて、箱型コンクリート排水工の溝に差し込む。１枚は土の流失防止の役割をし、もう１枚は土の流失防止板面とＴ型アングル面と箱型コンクリート排水工の溝壁面で囲まれ、三方面と密着せず隙間があるので連続した上下移動をして適切な田畑水位位置で留め置く役割をする。【選択図】図１
2012132229.tif 000002
【特許請求の範囲】
【請求項１】
田畑に設置の箱型コンクリート排水工を利用した「田畑水位調節排水板」である。
すなわち、２枚の排水板の両端にＴ型アングル（又はL型アングル）をはさみ、２枚の
排水板を重ねて、箱型コンクリート排水工の溝に差し込む。
１枚は、田畑土と密着していて土の流失防止板であり、他の１枚は、この流出防止板面
とT型アングル（又はL型アングル）面と箱型コンクリート排水工の溝壁面の三方で囲ま
れ、三方面と密着せず隙間があるので連続した上下移動をして適切な田畑水位位置で留め
置く。この方法で、田畑水位を調節する。
【発明の詳細な説明】
【技術分野】
【０００１】
本発明は、田畑に設置の箱型コンクリート排水工（以下、排水工と呼ぶ）を利用し、
排水工の溝に差し込んだ排水板を上下させることで田畑の水位調節を容易にする「田畑
水位調節排水板」である。
【背景技術】
【０００２】
現状は、排水工の溝に溝底面から田面（又は、土溝底面）までに複数枚の排水板を差
し込む。田土の流出を防ぎ、その後に抜き取ることはしない。これら排水板のうち、一
番上に載る排水板を以下、土板と呼ぶ。土板の上に高さの異なる複数枚の板（以下、水
板と呼ぶ）を載せて田畑水位を定める。
【０００３】
しかし、作物の成長に応じて田畑水位を適正変化させるとき、複数の水板の組み合わ
せ高さが最適にならず妥協した田畑水位にすることが多い。
１枚の水板を同一高さに切断しないために板と板の隙間から水漏れし肥料袋をあてが
うことや、水板が雨・風・雪・水で紛失することがある。
土板・水板の材質は、杉などの木材が多く、特に水板は３〜５年で腐食しやすい。
作物収穫までに、全筆の田畑を何十回も田畑水位を調節する負担は小さくない。
【発明の概要】
【発明が解決しようとする課題】
【０００４】
解決しようとする問題点は、適切な田畑水位を実現しずらい点である。
【課題を解決するための手段】
【０００５】
本発明は、排水工の溝を使用して水板を自由に上下させることで適切な田畑水位を実
現することを主要な特徴とする。
【発明の効果】
【０００６】
水板の上下により連続した田畑水位の調節が容易になり、板間の水漏れ少なく、１枚
の水板は溝から原則抜かないので紛失しずらいという利点がある。
木材に変えてアクリル板や塩化ビニル板を使用した場合は、腐食しづらい。
【図面の簡単な説明】
【０００７】
【図１】図１は排水工と改善した排水板を斜めから示した説明図である。
【図２】図２は排水工と改善した排水板を真上から示した説明図である。
【発明を実施するための最良の形態】
【０００８】
排水工は、サイズ規格が違うので、排水板を幅３００ミリタイプ・幅４００ミリタイ
プ等として提供する。
提供される方は、現場の排水工の排水幅長を計測し、のこぎりで必要なサイズに排水
板を切断する。
【実施例１】
【０００９】
排水工の排水幅長が３００ミリ以下である例を記述する。
排水板として、厚さ５ミリ・幅３００ミリ・高さ６００ミリのアクリル板（又は塩化
ビニル板）を１枚提供する。この板に、取っ手（上下時に手を掛ける）・滑り止め棒（定
めた上下位置を固定する）が取り付けてある。厚さ１ミリ・高さ３００ミリのアルミＴ
型アングル（以下、Ｔ型と呼ぶ）を２本提供する。アルミＬ型アングルでもよい。
【００１０】
現場の排水工の溝の寸法は、溝幅１５ミリ、溝奥行き１０ミリ、溝高６００ミリ、排
水幅２５０ミリとする。取り外した土板の高さは、２００ミリとし土板の底が排水工の
溝底に接していたとする。
【００１１】
新設する土板と水板は、同一寸法の幅２４０ミリ・高さ２００ミリとし、アクリル板
から２枚作成する。水枚には、取っ手・滑り止め棒が付いている。
土板と水板の両端にＴ型をはさみ、これを排水工の溝に土板を田畑側に、水板を排水
路側にして２枚重ねて、土板の下にある排水板面又は溝底面に接するまで同時に差し込
む。土板は、田土で埋め戻しして水漏れを防いでおく。
水板は、土板・Ｔ型・排水工の溝壁の三方で囲まれて上下する。水板の厚みが５ミリ
、Ｔ型の辺が６〜７ミリにし隙間をつくり水板の上下移動を円滑にする。
土板は、田土の圧力を受け少し水板側にたわみ、水板も水圧を受け排水路側にだわむ。
水板の上下移動に妨げとならない程度にＴ型の辺を６〜７ミリとするが、土板と水板の
隙間が大きすぎると水漏れが無視できなくなる。
【００１２】
水板高が２００ミリなので、田畑水位を最大２００ミリまで保てるはずだが、これは
土板上部面と田畑面が同じ高さの場合に限る。田の入排水を迅速にするために、田に土
溝を作る場合が多く、土溝は排水工に接続し土板上部面と土溝底面を同じ高さにする。
土溝深さが１５０ミリなら、水板高として３５０ミリあれば田畑水位２００ミリを確保
できる。
しかし、田の水をすべて排水する時、水板高３５０ミリでは土溝深さ分だけ水板が下
がらない。このことから水板高と土板高は常に同一とする（今の場合２００ミリ）。従い、
水板の上に１５０ミリの補助水板を載せる。田畑の水をすべて排水する時は、水板を最
大下げて（土板と同じ高さ面になる）、補助水板を抜き取る。補助水板は、幅２４０ミリ
・高さ１５０ミリを残りのアクリル板から切り出して作る。
【００１３】
補助水板は、なるべく使用しないようにする。土板高が大きくなる（最大３００ミリ）
ようにすれば、水板高も大きくなる。補助水板が不要になり水板１枚の上下だけですむ。
排水工の溝底から土溝底面までの排水板数が複数枚あるなら最大３００ミリの土板を
確保するように排水板を減らすことができるはずである。
【符号の説明】
【００１４】
１    水板
２    土板
３    Ｔ型の辺
４    排水幅
５    溝奥行き
６    溝幅
７    溝高
【図１】
2012132229.tif 000003
【図２】
2012132229.tif 000004
(57)【要約】【課題】  本発明は、陰嚢が姿勢により椅子や腿の間に挟まり圧迫されたり、夏季に汗ばんだ内腿の肌と直に接し不快感を起こしたりする、従来の男性用下着の欠点を解決しようとするものである。【解決手段】  陰嚢を受け止めて少し引き上げ常に股のすぐ上の位置に保つ、ハンモック形状の陰嚢吊りを取り付けた男性用パンツ。【選択図】図１
2012132136.tif 000002
【特許請求の範囲】
【請求項１】
陰嚢を少し引き上げ股のすぐ上の位置に保つ、ハンモック形状の陰嚢吊りを取り付けた男性用パンツ
【発明の詳細な説明】
【技術分野】
【０００１】本発明は、従来の下着にハンモック形状の陰嚢吊りを取り付けた男性用パンツに関するものである。
【背景技術】
【０００２】従来の下着は、特に陰嚢を格納する専用の機能は無く、局部を隠すことに主眼が置かれたものであり、姿勢により陰嚢が椅子や内股に挟まれる圧迫感、及び陰嚢が内腿と直に接する不快感を防ぐ機能は無い。
【発明の概要】
【発明が解決しようとする課題】
【０００３】陰嚢は常に下に垂れ、椅子に座る時に臀部と椅子の間に挟まったり、自転車に乗る時にサドルと臀部に挟まったりして、睾丸及び袋が圧迫される。また、細身のジーンズをはくと、左右どちらかに片寄った睾丸が腿とジーンズの間に挟まり圧迫される。トランクス・タイプの下着の中では必ず左右どちらかに片寄り内股に直に接して不快であり、特に夏季は汗ばんだ陰嚢と肌が接し不快である。これらの従来の男性用下着では解消しない欠点を解決しようとするものである。
【課題を解決するための手段】
【０００４】陰嚢を納め少し引き上げ股のすぐ上の位置に保つ、ハンモック形状の陰嚢吊りを取り付けた男性用パンツ
【発明の効果】
【０００５】この男性パンツを穿くと、陰嚢吊りの中に睾丸が納まり常に軽く引き上げられるので、圧迫されたり汗ばんだ内腿と直に接したりする不快を感じることなく、日常生活を快適に過ごすことができる。運動の際にも、単に圧迫するだけのサポーターと違い陰嚢の場所が快適な位置に保たれ、より自由で自然な動きが可能になる。
【図面の簡単な説明】
【０００６】
【図１】男性用パンツに取り付けたところで、パンツの内側から見た図
【図２】ハンモック式陰嚢吊り単独の図である。
【発明を実施するための形態】
【０００７】陰嚢を吊る布をハンモック形状とし前縁１と裏縁２が形成する空間４に睾丸が納まり外にこぼれることを防いでいるが、通気性のため両端は縫わずに開口部３を設ける。図２に示す様に、前縁１を裏縁２よりやや短くし、裏縁２は陰嚢の付け根の形状に合わせ浅いＵ字形とすることで収納性を良くする。
【０００８】生地は下着と同一の生地のほか、放熱素材または通気性のある生地を用いる。また、生地には小さめの通気穴を開けることもある。
【０００９】着用中に陰嚢吊り全体が陰嚢の裏側にずれてしまうことを防ぐために、前縁の真ん中の一点５をパンツに縫い付ける。
【００１０】陰嚢吊りの取り付け位置は図１に示す通りであり、これにより陰嚢が常に数センチ引き上げられる。取り付け部６は、材質を変えてゴム紐またはゴム帯にすることもある。また、様々な体型に対応するため、取り付け部６はボタン又はマジックテープを用い位置の調整が出来るようにすることもある。陰嚢吊りの周囲をパンツに縫い付けると袋状になり閉鎖され汗がこもるので縫い付けない。パンツ自体の形状を加工するのではなくその内側に取り付けるものなので、このパンツをはいてもことさら男性器の形状が浮かび出ることが無い。
【符号の説明】
【００１１】１．      前縁（からだの前方）
２．      裏縁（陰嚢の裏側）
３．      開口部
４．      陰嚢の納まる空間
５．      前縁の真ん中の一点
６．      取り付け部
【図１】
2012132136.tif 000003
【図２】
2012132136.tif 000004